(57)【要約】【課題】屋内の内壁面の一方向の凹凸を広い範囲で正確に象ることができる凹凸象形器具を提供する。【解決手段】凹凸象形器具１０Ｂは、幅方向へ延びる前後端プレートと前後方向へ延びる第１および第２スライドレールとを有するフレームと、前端プレートに設置されて前後方向へ進退可能であり、互いに隣接して幅方向へ並ぶ複数の凹凸検出ゲージとから形成されている。凹凸象形器具１０Ｂでは、それら凹凸検出ゲージの先端を屋内の内壁面に対向させ、それら凹凸検出ゲージの先端を内壁面に当接させることで、内壁面の凹凸にあわせてそれら凹凸検出ゲージが前後方向へ進退し、内壁面の一方向の凹凸がそれら凹凸検出ゲージに象られる。【選択図】図７
2018013023.tif 000002
【特許請求の範囲】
【請求項１】
建造物の所定の面の凹凸を象る凹凸象形器具において、
前記凹凸象形器具が、幅方向へ延びる支持手段と、前記支持手段に設置されて前後方向へ延びていて該前後方向へ進退可能であり、互いに隣接して幅方向へ一列に並ぶ複数の凹凸検出ゲージとから形成され、
前記凹凸象形器具では、前記支持手段に設置されたそれら凹凸検出ゲージの先端を前記建造物の所定の面に対向させてそれら凹凸検出ゲージの先端を前記面に当接させることで、該面の凹凸にあわせてそれら凹凸検出ゲージが前後方向へ進退し、該面の一方向の凹凸がそれら凹凸検出ゲージに象られることを特徴とする凹凸象形器具。
【請求項２】
前記支持手段が、幅方向へ延びていてそれら凹凸検出ゲージを設置した前端部と、前記前端部の後方に位置して幅方向へ延びる後端部と、前記前後端部の間において前後方向へ延びる両側縁部とを有するフレームであり、前記凹凸象形器具では、前記フレームの前端部に設置されたそれら凹凸検出ゲージの先端を前記建造物の所定の面に対向させてそれら凹凸検出ゲージの先端を前記面に当接させる請求項１に記載の凹凸象形器具。
【請求項３】
前記凹凸象形器具が、前記フレームの後端部に取り付けられて該凹凸象形器具を前記建造物の所定の位置に固定する真空吸着パッドを含み、前記真空吸着パッドが、前記建造物の所定の面に吸着させる吸着面を有する請求項２に記載の凹凸象形器具。
【請求項４】
前記フレームの両側縁部が、前後方向へ伸縮可能であり、前記フレームの前端部が、前記フレームの両側縁部の前後方向への伸縮にともなって前後方向へ進退可能であり、前記凹凸象形器具では、前記フレームの両側縁部を前方へ伸長させつつ該フレームの前端部を前方へ前進させてそれら凹凸検出ゲージの先端を前記面に当接させる請求項２または請求項３に記載の凹凸象形器具。
【請求項５】
前記凹凸象形器具が、前記フレームの両側縁部の間に位置して前記前後端部につながる伸縮可能な少なくとも１本のスライド部材を含み、前記スライド部材が、前記建造物の所定の面の一方向の凹凸がそれら凹凸検出ゲージに象られた時点で該スライド部材の伸縮を停止させるストッパーを有する請求項４に記載の凹凸象形器具。
【請求項６】
前記凹凸象形器具が、前記フレームの前端部に取り付けられて、前記フレームの両側縁部と前記スライド部材とを前後方向へ伸縮させつつ該フレームの前端部を進退させる把持可能なハンドルを含む請求項５に記載の凹凸象形器具。
【請求項７】
建造物の所定の面の凹凸を象る凹凸象り方法において、
前記凹凸象り方法が、幅方向へ延びる支持手段と、前記支持手段に設置されて前後方向へ延びていて該前後方向へ進退可能であり、互いに隣接して幅方向へ一列に並ぶ複数の凹凸検出ゲージとから形成された凹凸象形器具を利用し、
前記凹凸象り方法では、前記凹凸象形器具の支持手段に設置されたそれら凹凸検出ゲージの先端を前記建造物の所定の面に対向させてそれら凹凸検出ゲージの先端を前記面に当接させることで、該面の凹凸にあわせてそれら凹凸検出ゲージを前後方向へ進退させ、該面の一方向の凹凸をそれら凹凸検出ゲージに象らせることを特徴とする凹凸象り方法。
【請求項８】
前記支持手段が、幅方向へ延びていてそれら凹凸検出ゲージを設置した前端部と、前記前端部の後方に位置して幅方向へ延びる後端部と、前記前後端部の間において前後方向へ延びる両側縁部とを有するフレームであり、前記凹凸象り方法が、前記凹凸象形器具のフレームの前端部に設置されたそれら凹凸検出ゲージの先端を前記建造物の所定の面に対向させてそれら凹凸検出ゲージの先端を前記面に当接させる請求項７に記載の凹凸象り方法。
【請求項９】
前記凹凸象り方法が、前記面の一方向の凹凸をそれら凹凸検出ゲージに象らせた後、それら凹凸検出ゲージの先端の凹凸を所定の部材に罫書くことで、該面の一方向の凹凸を前記部材に写し取る請求項７または請求項８に記載の凹凸象り方法。
【請求項１０】
前記凹凸象形器具が、前記フレームの後端部に取り付けられて前記建造物の所定の面に吸着させる吸着面を有する真空吸着パッドを含み、前記凹凸象り方法が、前記真空吸着パッドの吸着面を前記建造物の所定の面に吸着させることで前記凹凸象形器具を該建造物の所定の位置に固定し、該真空吸着パッドを利用して該凹凸象形器具を固定した状態でそれら凹凸検出ゲージの先端を前記面に当接させる請求項８または請求項９に記載の凹凸象り方法。
【請求項１１】
前記凹凸象形器具のフレームの両側縁部が、前後方向へ伸縮可能であり、前記凹凸象形器具のフレームの前端部が、前記フレームの両側縁部の前後方向への伸縮にともなって前後方向へ進退可能であり、前記凹凸象り方法が、前記凹凸象形器具のフレームの両側縁部を前方へ伸長させつつ該フレームの前端部を前方へ前進させてそれら凹凸検出ゲージの先端を前記面に当接させる請求項８ないし請求項１０いずれかに記載の凹凸象り方法。
【請求項１２】
前記凹凸象形器具が、前記フレームの両側縁部の間に位置して前記前後端部につながる伸縮可能な少なくとも１本のスライド部材を含み、前記スライド部材が、該スライド部材の伸縮を停止させるストッパーを有し、前記凹凸象り方法が、前記スライド部材を前方へスライドさせて前記フレームの両側縁部を前方へ伸長させつつ該フレームの前端部を前方へ前進させ、それら凹凸検出ゲージの先端を前記面に当接させるとともに、前記建造物の所定の面の一方向の凹凸がそれら凹凸検出ゲージに象られた時点で前記ストッパーによって前記スライド部材の前進を停止させる請求項８ないし請求項１１いずれかに記載の凹凸象り方法。
【請求項１３】
前記凹凸象形器具が、前記フレームの前端部に取り付けられたハンドルを含み、前記凹凸象り方法が、前記ハンドルを把持して前記フレームの両側縁部と前記スライド部材とを前方へ伸長させつつ該フレームの前端部を前方へ前進させてそれら凹凸検出ゲージの先端を前記面に当接させる請求項１３に記載の凹凸象り方法。
【発明の詳細な説明】
【技術分野】
【０００１】
本発明は、建造物の所定の面の凹凸を象る凹凸象形器具および建造物の所定の面の凹凸を象る凹凸象り方法に関する。
【背景技術】
【０００２】
基材の表面および裏面に吸着性塗料を塗布したシートを貼着した内装ボードの複数枚を横方向へ並べ、隣接する内装ボードの間に吸着性塗料を塗布しつつ、それら内装ボードを屋内の壁面に取り付ける内装ボードの施工方法が開示されている（特許文献１参照）。この施工方法は、吸着性塗料を塗布したシートを貼着した複数枚の内装ボードを家屋の内壁に取り付けるだけで内装工事が完了するから、吸着性塗料を満遍なく基材に塗布する手間を省くことができ、吸着性塗料を備えた内装ボードを壁面に容易かつ短時間に設置することができる。
【先行技術文献】
【特許文献】
【０００３】
【特許文献１】特開２０１３−１４９４１号公報
【発明の概要】
【発明が解決しようとする課題】
【０００４】
内装ボードを屋内の壁面に取り付ける場合、壁面の一方の側から他方の側に向かってボードを順に固定するが、屋内の角部（端部）において規格のボードを嵌め込むことができない空きスペースが生ずる。この場合、内装ボードを切断して端部ボード４８を作り、その端部ボード４８を空きスペースに嵌め込むが、壁面は一様に平坦ではなく、壁面にはわずかな凹凸（起伏）が存在するから、端部ボード４８の一端をその凹凸にあわせた形状に切断する必要がある。端部ボード４８の一端を壁面の凹凸にあわせた形状に切断するには熟練した作業者の経験や腕前に頼らざるを得ず、熟練した作業者以外の作業者が内装ボードの一端を壁面の凹凸にあわせた形状に正確に切断することは困難であり、熟練した作業者以外の作業者が建造物の所定の面に内装ボードを隙間なく取り付けることは困難である。
【０００５】
本発明の目的は、建造物の所定の面の一方向の凹凸を広い範囲で正確に象ることができ、象った凹凸を所定の部材の表面に正確に罫書くことができる凹凸象形器具および凹凸象り方法を提供することにある。本発明の他の目的は、熟練した作業者以外の作業者が部材の一端を建造物の所定の面の凹凸にあわせた形状に正確に切断することができ、熟練した作業者以外の作業者が建造物の所定の面に部材を隙間なく取り付けることができる凹凸象形器具および凹凸象り方法を提供することにある。
【課題を解決するための手段】
【０００６】
前記課題を解決するための本発明の第１の前提は、建造物の所定の面の凹凸を象る凹凸象形器具である。
【０００７】
前記前提における本発明の凹凸象形器具の特徴は、凹凸象形器具が、幅方向へ延びる支持手段と、支持手段に設置されて前後方向へ延びていて前後方向へ進退可能であり、互いに隣接して幅方向へ一列に並ぶ複数の凹凸検出ゲージとから形成され、凹凸象形器具では、支持手段に設置されたそれら凹凸検出ゲージの先端を建造物の所定の面に対向させてそれら凹凸検出ゲージの先端を面に当接させることで、面の凹凸にあわせてそれら凹凸検出ゲージが前後方向へ進退し、面の一方向の凹凸がそれら凹凸検出ゲージに象られることにある。
【０００８】
本発明の凹凸象形器具の一例としては、支持手段が、幅方向へ延びていてそれら凹凸検出ゲージを設置した前端部と、前端部の後方に位置して幅方向へ延びる後端部と、前後端部の間において前後方向へ延びる両側縁部とを有するフレームであり、凹凸象形器具では、フレームの前端部に設置されたそれら凹凸検出ゲージの先端を建造物の所定の面に対向させてそれら凹凸検出ゲージの先端を面に当接させる。
【０００９】
本発明の凹凸象形器具の他の一例としては、凹凸象形器具がフレームの後端部に取り付けられて凹凸象形器具を建造物の所定の位置に固定する真空吸着パッドを含み、真空吸着パッドが建造物の所定の面に吸着させる吸着面を有する。
【００１０】
本発明の凹凸象形器具の他の一例としては、フレームの両側縁部が前後方向へ伸縮可能であり、フレームの前端部がフレームの両側縁部の前後方向への伸縮にともなって前後方向へ進退可能であり、凹凸象形器具では、フレームの両側縁部を前方へ伸長させつつフレームの前端部を前方へ前進させてそれら凹凸検出ゲージの先端を面に当接させる。
【００１１】
本発明の凹凸象形器具の他の一例としては、凹凸象形器具がフレームの両側縁部の間に位置して前後端部につながる伸縮可能な少なくとも１本のスライド部材を含み、スライド部材が建造物の所定の面の一方向の凹凸がそれら凹凸検出ゲージに象られた時点でスライド部材の伸縮を停止させるストッパーを有する。
【００１２】
本発明の凹凸象形器具の他の一例としては、凹凸象形器具がフレームの前端部に取り付けられてフレームの両側縁部とスライド部材とを前後方向へ伸縮させつつフレームの前端部を進退させる把持可能なハンドルを含む。
【００１３】
前記課題を解決するための本発明の第２の前提は、建造物の所定の面の凹凸を象る凹凸象り方法である。
【００１４】
前記前提における本発明の凹凸象り方法の特徴は、凹凸象り方法が、幅方向へ延びる支持手段と、支持手段に設置されて前後方向へ延びていて前後方向へ進退可能であり、互いに隣接して幅方向へ一列に並ぶ複数の凹凸検出ゲージとから形成された凹凸象形器具を利用し、凹凸象り方法では、凹凸象形器具の支持手段に設置されたそれら凹凸検出ゲージの先端を建造物の所定の面に対向させてそれら凹凸検出ゲージの先端を前記面に当接させることで、面の凹凸にあわせてそれら凹凸検出ゲージを前後方向へ進退させ、面の一方向の凹凸をそれら凹凸検出ゲージに象らせることにある。
【００１５】
本発明の凹凸象り方法の一例としては、支持手段が、幅方向へ延びていてそれら凹凸検出ゲージを設置した前端部と、前端部の後方に位置して幅方向へ延びる後端部と、前後端部の間において前後方向へ延びる両側縁部とを有するフレームであり、凹凸象り方法が、凹凸象形器具のフレームの前端部に設置されたそれら凹凸検出ゲージの先端を建造物の所定の面に対向させてそれら凹凸検出ゲージの先端を面に当接させる。
【００１６】
本発明の凹凸象り方法の他の一例としては、面の一方向の凹凸をそれら凹凸検出ゲージに象らせた後、それら凹凸検出ゲージの先端の凹凸を所定の部材に罫書くことで、面の一方向の凹凸を部材に写し取る。
【００１７】
本発明の凹凸象り方法の他の一例としては、凹凸象形器具がフレームの後端部に取り付けられて建造物の所定の面に吸着させる吸着面を有する真空吸着パッドを含み、凹凸象り方法が、真空吸着パッドの吸着面を建造物の所定の面に吸着させることで凹凸象形器具を建造物の所定の位置に固定し、真空吸着パッドを利用して凹凸象形器具を固定した状態でそれら凹凸検出ゲージの先端を面に当接させる。
【００１８】
本発明の凹凸象り方法の他の一例としては、凹凸象形器具のフレームの両側縁部が前後方向へ伸縮可能であり、凹凸象形器具のフレームの前端部がフレームの両側縁部の前後方向への伸縮にともなって前後方向へ進退可能であり、凹凸象り方法が、凹凸象形器具のフレームの両側縁部を前方へ伸長させつつフレームの前端部を前方へ前進させてそれら凹凸検出ゲージの先端を面に当接させる。
【００１９】
本発明の凹凸象り方法の他の一例としては、凹凸象形器具がフレームの両側縁部の間に位置して前後端部につながる伸縮可能な少なくとも１本のスライド部材を含み、スライド部材がその伸縮を停止させるストッパーを有し、凹凸象り方法が、スライド部材を前方へスライドさせてフレームの両側縁部を前方へ伸長させつつフレームの前端部を前方へ前進させ、それら凹凸検出ゲージの先端を面に当接させるとともに、建造物の所定の面の一方向の凹凸がそれら凹凸検出ゲージに象られた時点でストッパーによってスライド部材の前進を停止させる。
【００２０】
本発明の凹凸象り方法の他の一例としては、凹凸象形器具がフレームの前端部に取り付けられたハンドルを含み、凹凸象り方法が、ハンドルを把持してフレームの両側縁部とスライド部材とを前方へ伸長させつつフレームの前端部を前方へ前進させてそれら凹凸検出ゲージの先端を面に当接させる。
【発明の効果】
【００２１】
本発明に係る凹凸象形器具によれば、支持手段に設置されたそれら凹凸検出ゲージの先端を建造物の所定の面に対向させ、それら凹凸検出ゲージの先端をその面に当接させることで、面の凹凸にあわせてそれら凹凸検出ゲージが前後方向へ進退し、直線状に一列に並ぶそれら凹凸検出ゲージの先端が前後方向へ起伏し、それら凹凸検出ゲージによって面の凹凸が象られるから、建造物の所定の面の一方向の凹凸を広い範囲で正確に象ることができ、建造物の所定の面の凹凸によって起伏したそれら凹凸検出ゲージの先端に沿って部材に罫書くことで、象った凹凸を所定の部材の表面に正確に罫書くことができる。凹凸象形器具は、熟練した作業者の経験や腕前に頼る必要がなく、熟練した作業者以外の作業者が部材の一端を建造物の所定の面の凹凸にあわせた形状に正確に切断することができ、凹凸象形器具を利用することで、建造物の所定の面の空きスペースに取り付ける（嵌め込む）端部材を作ることができるとともに、熟練した作業者以外の作業者が建造物の所定の面全域に部材を隙間なく取り付けることができる。
【００２２】
支持手段がそれら凹凸検出ゲージを設置した前端部と前端部の後方に位置する後端部と前後端部の間に延びる両側縁部とを有するフレームであり、フレームの前端部に設置されたそれら凹凸検出ゲージの先端を建造物の所定の面に対向させてそれら凹凸検出ゲージの先端を面に当接させる凹凸象形器具は、フレームの前端部に設置されたそれら凹凸検出ゲージの先端を建造物の所定の面に対向させ、前端部に設置されたそれら凹凸検出ゲージの先端をその面に当接させることで、面の凹凸にあわせてそれら凹凸検出ゲージが前後方向へ進退し、直線状に並ぶそれら凹凸検出ゲージの先端が前後方向へ起伏し、それら凹凸検出ゲージによって面の凹凸が象られるから、建造物の所定の面の一方向の凹凸を広い範囲で正確に象ることができ、建造物の所定の面の凹凸によって起伏したそれら凹凸検出ゲージの先端に沿って部材に罫書くことで、象った凹凸を所定の部材の表面に正確に罫書くことができる。凹凸象形器具は、熟練した作業者の経験や腕前に頼る必要がなく、熟練した作業者以外の作業者が部材の一端を建造物の所定の面の凹凸にあわせた形状に正確に切断することができ、凹凸象形器具を利用することで、建造物の所定の面の空きスペースに取り付ける（嵌め込む）端部材を作ることができるとともに、熟練した作業者以外の作業者が建造物の所定の面全域に部材を隙間なく取り付けることができる。凹凸象形器具は、フレームの枠構造によってフレームの前端部が斜めに傾斜することはなく、前端部を直状に保持することができるから、フレームの前端部に設置されたそれら凹凸検出ゲージのすべてを建造物の所定の面に同時に当接させることができ、それら凹凸検出ゲージによって建造物の所定の面の一方向の凹凸を広い範囲で正確に象ることができる。
【００２３】
フレームの後端部に取り付けられて凹凸象形器具を建造物の所定の位置に固定する真空吸着パッドを含み、真空吸着パッドが建造物の所定の面に吸着させる吸着面を有する凹凸象形器具は、真空吸着パッドの吸着面を建造物の所定の面に吸着させることで、凹凸象形器具が建造物の所定の位置に固定され、真空吸着パッドを利用して凹凸象形器具を固定した状態でそれら凹凸検出ゲージの先端を建造物の面に当接させることができるから、凹凸象形器具のズレ動きを防ぐことができ、凹凸象形器具を静止させた状態でそれら凹凸検出ゲージの先端を面に当接させることができるとともに、建造物の所定の面の一方向の凹凸を正確に象ることができる。真空吸着パッドによって建造物の所定の面に固定された凹凸象形器具を利用し、建造物の所定の面の一方向の凹凸を正確に象ることができるから、象った凹凸を部材に正確に罫書くことができ、熟練した作業者以外の作業者が部材の一端を建造物の所定の面の凹凸にあわせた形状に正確に切断することができるとともに、凹凸象形器具を利用することで、建造物の所定の面の空きスペースに取り付ける（嵌め込む）端部材を作ることができ、熟練した作業者以外の作業者が建造物の所定の面全域に部材を隙間なく取り付けることができる。
【００２４】
フレームの両側縁部が前後方向へ伸縮可能であり、フレームの前端部がフレームの両側縁部の前後方向への伸縮にともなって前後方向へ進退可能であり、フレームの両側縁部を前方へ伸長させつつフレームの前端部を前方へ前進させてそれら凹凸検出ゲージの先端を建造物の所定の面に当接させる凹凸象形器具は、フレームの両側縁部を前方へ伸長させてそれら凹凸検出ゲージの先端を建造物の所定の面に当接させることで、それら凹凸検出ゲージのすべてを建造物の所定の面に同時に当接させることができ、それら凹凸検出ゲージのすべてを利用して建造物の所定の面の一方向の凹凸を正確に象ることができる。凹凸象形器具は、それら凹凸検出ゲージのすべてを利用して建造物の所定の面の一方向の凹凸を正確に象ることができるから、象った凹凸を所定の部材の表面に正確に罫書くことができ、熟練した作業者以外の作業者が部材の一端を建造物の所定の面の凹凸にあわせた形状に正確に切断することができるとともに、凹凸象形器具を利用することで、建造物の所定の面の空きスペースに取り付ける（嵌め込む）端部材を作ることができに、熟練した作業者以外の作業者が建造物の所定の面全域に部材を隙間なく取り付けることができる。
【００２５】
フレームの両側縁部の間に位置して前後端部につながる伸縮可能な少なくとも１本のスライド部材を含み、スライド部材が建造物の所定の面の一方向の凹凸がそれら凹凸検出ゲージに象られた時点でスライド部材の伸縮を停止させるストッパーを有する凹凸象形器具は、スライド部材を前方へ伸長させることでフレームの両側縁部が前方へ伸長しつつフレームの前端部が前方へ前進し、それによってそれら凹凸検出ゲージの先端を建造物の所定の面に当接させることができるから、それら凹凸検出ゲージのすべてを建造物の所定の面に同時に当接させることができ、それら凹凸検出ゲージのすべてを利用して建造物の所定の面の一方向の凹凸を正確に象ることができる。建造物の所定の面の一方向の凹凸がそれら凹凸検出ゲージに象られた時点でスライド部材が前後方向へ伸縮すると、それら凹凸検出ゲージがズレ動いて凹凸を正確に象ることができないが、凹凸象形器具は、建造物の所定の面の一方向の凹凸がそれら凹凸検出ゲージに象られた時点でスライド部材の伸縮をストッパーによって停止させることができるから、凹凸を象ったそれら凹凸検出ゲージのズレ動きを防ぐことができ、それら凹凸検出ゲージを利用して建造物の所定の面の一方向の凹凸を正確かつ確実に象ることができる。
【００２６】
フレームの前端部に取り付けられてフレームの両側縁部とスライド部材とを前後方向へ伸縮させつつフレームの前端部を進退させる把持可能なハンドルを含む凹凸象形器具は、凹凸象形器具のハンドルを把持し、スライド部材を前方へスライドさせてフレームの両側縁部を前方へ伸長させつつフレームの前端部を前方へ前進させ、それら凹凸検出ゲージの先端を建造物の所定の面に当接させるから、ハンドルを利用してそれら凹凸検出ゲージのすべてを建造物の所定の面に同時に当接させることができ、それら凹凸検出ゲージのすべてを利用して建造物の所定の面の一方向の凹凸を正確に象ることができる。凹凸象形器具は、それら凹凸検出ゲージのすべてを利用して建造物の所定の面の一方向の凹凸を正確に象ることができるから、象った凹凸を所定の部材の表面に正確に罫書くことができ、熟練した作業者以外の作業者が部材の一端を建造物の所定の面の凹凸にあわせた形状に正確に切断することができるとともに、凹凸象形器具を利用することで、建造物の所定の面の空きスペースに取り付ける（嵌め込む）端部材を作ることができに、熟練した作業者以外の作業者が建造物の所定の面全域に部材を隙間なく取り付けることができる。
【００２７】
本発明に係る凹凸象り方法によれば、支持手段に設置されたそれら凹凸検出ゲージの先端を建造物の所定の面に対向させ、それら凹凸検出ゲージの先端をその面に当接させることで、面の凹凸にあわせてそれら凹凸検出ゲージが前後方向へ進退し、直線状に一列に並ぶそれら凹凸検出ゲージの先端が前後方向へ起伏し、それら凹凸検出ゲージによって面の凹凸が象られるから、建造物の所定の面の一方向の凹凸を広い範囲で正確に象ることができる。
【００２８】
支持手段がそれら凹凸検出ゲージを設置した前端部と前端部の後方に位置する後端部と前後端部の間に延びる両側縁部とを有するフレームであり、凹凸象形器具のフレームの前端部に設置されたそれら凹凸検出ゲージの先端を建造物の所定の面に対向させてそれら凹凸検出ゲージの先端を面に当接させる凹凸象り方法は、凹凸象形器具のフレームの前端部に設置されたそれら凹凸検出ゲージの先端を建造物の所定の面に対向させ、前端部に設置されたそれら凹凸検出ゲージの先端をその面に当接させることで、面の凹凸にあわせてそれら凹凸検出ゲージが前後方向へ進退し、直線状に並ぶそれら凹凸検出ゲージの先端が前後方向へ起伏し、それら凹凸検出ゲージによって面の凹凸が象られるから、建造物の所定の面の一方向の凹凸を広い範囲で正確に象ることができる。凹凸象り方法は、凹凸象形器具のフレームの枠構造によってフレームの前端部が斜めに傾斜することはなく、前端部を直状に保持することができるから、フレームの前端部に設置されたそれら凹凸検出ゲージのすべてを建造物の所定の面に同時に当接させることができ、それら凹凸検出ゲージによって建造物の所定の面の一方向の凹凸を広い範囲で正確に象ることができる。
【００２９】
建造物の所定の面の一方向の凹凸を凹凸象形器具のそれら凹凸検出ゲージに象らせた後、それら凹凸検出ゲージの先端の凹凸を所定の部材に罫書くことで、面の一方向の凹凸を部材に写し取る凹凸象り方法は、建造物の所定の面の凹凸によって起伏したそれら凹凸検出ゲージの先端に沿って部材に罫書くことで、象った凹凸を所定の部材の表面に正確に罫書くことができる。凹凸象り方法は、熟練した作業者の経験や腕前に頼る必要がなく、熟練した作業者以外の作業者が部材の一端を建造物の所定の面の凹凸にあわせた形状に正確に切断することができ、凹凸象形器具を利用することで、建造物の所定の面の空きスペースに取り付ける（嵌め込む）端部材を作ることができるとともに、熟練した作業者以外の作業者が建造物の所定の面全域に部材を隙間なく取り付けることができる。
【００３０】
凹凸象形器具がフレームの後端部に取り付けられて建造物の所定の面に吸着させる吸着面を有する真空吸着パッドを含み、真空吸着パッドの吸着面を建造物の所定の面に吸着させることで凹凸象形器具を該建造物の所定の位置に固定し、真空吸着パッドを利用して凹凸象形器具を固定した状態でそれら凹凸検出ゲージの先端を建造物の所定の面に当接させる凹凸象り方法は、真空吸着パッドの吸着面を建造物の所定の面に吸着させることで、凹凸象形器具が建造物の所定の位置に固定され、真空吸着パッドを利用して凹凸象形器具を固定した状態でそれら凹凸検出ゲージの先端を建造物の面に当接させることができるから、凹凸象形器具のズレ動きを防ぐことができ、凹凸象形器具を静止させた状態でそれら凹凸検出ゲージの先端を面に当接させることができるとともに、建造物の所定の面の一方向の凹凸を正確に象ることができる。凹凸象り方法は、真空吸着パッドによって建造物の所定の面に固定された凹凸象形器具を利用し、建造物の所定の面の一方向の凹凸を正確に象ることができるから、象った凹凸を部材に正確に罫書くことができ、熟練した作業者以外の作業者が部材の一端を建造物の所定の面の凹凸にあわせた形状に正確に切断することができるとともに、建造物の所定の面の空きスペースに取り付ける（嵌め込む）端部材を作ることができ、熟練した作業者以外の作業者が建造物の所定の面全域に部材を隙間なく取り付けることができる。
【００３１】
凹凸象形器具のフレームの両側縁部が前後方向へ伸縮可能であり、凹凸象形器具のフレームの前端部がフレームの両側縁部の前後方向への伸縮にともなって前後方向へ進退可能であり、凹凸象形器具のフレームの両側縁部を前方へ伸長させつつフレームの前端部を前方へ前進させてそれら凹凸検出ゲージの先端を建造物の所定の面に当接させる凹凸象り方法は、凹凸象形器具のフレームの両側縁部を前方へ伸長させてそれら凹凸検出ゲージの先端を建造物の所定の面に当接させることで、それら凹凸検出ゲージのすべてを建造物の所定の面に同時に当接させることができ、それら凹凸検出ゲージのすべてを利用して建造物の所定の面の一方向の凹凸を正確に象ることができる。凹凸象り方法は、凹凸象形器具のそれら凹凸検出ゲージのすべてを利用して建造物の所定の面の一方向の凹凸を正確に象ることができるから、象った凹凸を所定の部材の表面に正確に罫書くことができ、熟練した作業者以外の作業者が部材の一端を建造物の所定の面の凹凸にあわせた形状に正確に切断することができるとともに、建造物の所定の面の空きスペースに取り付ける（嵌め込む）端部材を作ることができ、熟練した作業者以外の作業者が建造物の所定の面全域に部材を隙間なく取り付けることができる。
【００３２】
凹凸象形器具がフレームの両側縁部の間に位置して前後端部につながる伸縮可能な少なくとも１本のスライド部材を含み、スライド部材がその伸縮を停止させるストッパーを有し、スライド部材を前方へスライドさせてフレームの両側縁部を前方へ伸長させつつフレームの前端部を前方へ前進させ、それら凹凸検出ゲージの先端を建造物の所定の面に当接させるとともに、建造物の所定の面の一方向の凹凸がそれら凹凸検出ゲージに象られた時点でストッパーによってスライド部材の前進を停止させる凹凸象り方法は、凹凸象形器具のスライド部材を前方へ伸長させることでフレームの両側縁部が前方へ伸長しつつフレームの前端部が前方へ前進し、それによって凹凸象形器具のそれら凹凸検出ゲージの先端を建造物の所定の面に当接させることができるから、それら凹凸検出ゲージのすべてを建造物の所定の面に同時に当接させることができ、それら凹凸検出ゲージのすべてを利用して建造物の所定の面の一方向の凹凸を正確に象ることができる。建造物の所定の面の一方向の凹凸がそれら凹凸検出ゲージに象られた時点でスライド部材が前後方向へ伸縮すると、それら凹凸検出ゲージがズレ動いて凹凸を正確に象ることができないが、凹凸象り方法は、建造物の所定の面の一方向の凹凸が凹凸象形器具のそれら凹凸検出ゲージに象られた時点でスライド部材の伸縮をストッパーによって停止させることができるから、凹凸を象ったそれら凹凸検出ゲージのズレ動きを防ぐことができ、それら凹凸検出ゲージを利用して建造物の所定の面の一方向の凹凸を正確かつ確実に象ることができる。
【００３３】
凹凸象形器具がフレームの前端部に取り付けられたハンドルを含み、ハンドルを把持してフレームの両側縁部とスライド部材とを前方へ伸長させつつフレームの前端部を前方へ前進させてそれら凹凸検出ゲージの先端を建造物の所定の面に当接させる凹凸象り方法は、凹凸象形器具のハンドルを把持し、スライド部材を前方へスライドさせてフレームの両側縁部を前方へ伸長させつつフレームの前端部を前方へ前進させ、それら凹凸検出ゲージの先端を建造物の所定の面に当接させるから、ハンドルを利用してそれら凹凸検出ゲージのすべてを建造物の所定の面に同時に当接させることができ、それら凹凸検出ゲージのすべてを利用して建造物の所定の面の一方向の凹凸を正確に象ることができる。凹凸象り方法は、凹凸象形器具のそれら凹凸検出ゲージのすべてを利用して建造物の所定の面の一方向の凹凸を正確に象ることができるから、象った凹凸を所定の部材の表面に正確に罫書くことができ、熟練した作業者以外の作業者が部材の一端を建造物の所定の面の凹凸にあわせた形状に正確に切断することができるとともに、凹凸象形器具を利用することで、建造物の所定の面の空きスペースに取り付ける（嵌め込む）端部材を作ることができ、熟練した作業者以外の作業者が建造物の所定の面全域に部材を隙間なく取り付けることができる。
【図面の簡単な説明】
【００３４】
【図１】一例として示す凹凸象形器具の上面図。
【図２】図１のＩ−Ｉ線矢視断面図
【図３】凹凸象形器具の凹凸検出ゲージの部分拡大図。
【図４】図１のII−II線矢視断面図。
【図５】凹凸象形器具を利用した内壁面の凹凸の象りの一例を示す図。
【図６】凹凸象形器具から内装ボードへの罫書きの一例を示す図。
【図７】他の一例として示す凹凸象形器具の上面図。
【図８】凹凸象形器具の下面図。
【図９】図７のIII−III線矢視断面図。
【図１０】図７のIV−IV線矢視断面図。
【図１１】図１０の断面図における第１および第２前端プレートの一方の端部の部分拡大図。
【図１２】図１０の断面図における第１および第２前端プレートの幅方向中央の部分拡大図。
【図１３】凹凸象形器具を利用した内壁面の凹凸の象りの一例を示す図。
【図１４】凹凸象形器具から内装ボードへの罫書きの他の一例を示す図。
【図１５】他の一例として示す凹凸象形器具の上面図。
【図１６】図１５のＶ−Ｖ線矢視断面図。
【発明を実施するための形態】
【００３５】
一例として示す凹凸象形器具１０Ａの上面図である図１等の添付の図面を参照し、本発明にかかる凹凸象形器具および凹凸象り方法の詳細を説明すると、以下のとおりである。なお、図２は、図１のＩ−Ｉ線矢視断面図であり、図３は、凹凸象形器具１０Ａの凹凸検出ゲージ１２の部分拡大図である。図４は、図１のII−II線矢視断面図である。図１，２では、幅方向を矢印Ａで示し、前後方向を矢印Ｂ、上下方向を矢印Ｃで示す。
【００３６】
凹凸象形器具１０Ａ（凹凸象形器具１０Ｂ〜１０Ｄを含む）は、その一例として、屋内（建造物）の内壁面４５（建造物の所定の面）全域に内装ボード４７（部材）を取り付ける内装ボード４７設置作業の際、屋内の角部の内壁面４５の空きスペースに内装ボード４７を切断した端部ボード４８を取り付ける（嵌め込む）場合において、内壁面４５の凹凸（起伏）を正確に象り（形取り）、象った内壁面４５の凹凸を内装ボード４７に正確に罫書き（写し取り）、内装ボード４７を切断して端部ボード４８（端部材）を作る場合に使用される。
【００３７】
なお、凹凸象形器具１０Ａ（凹凸象形器具１０Ｂ〜１０Ｄを含む）は、内壁面４５のみならず、屋外の外壁面全域に外装ボード（部材）を取り付ける外装ボード設置作業の際、屋外の角部の外壁面の空きスペースに外装ボードを切断した端部ボード４８を取り付ける（嵌め込む）場合において、外壁面の凹凸（起伏）を正確に象り（形取り）、象った外壁面の凹凸を外装ボードに正確に罫書き（写し取り）、外装ボードを切断して端部ボード４８（端部材）を作る場合に使用することもできる。
【００３８】
凹凸象形器具１０Ａは、支持部材１１（支持手段）と、支持部材１１に設置された複数の凹凸検出ゲージ１２とから形成されている。支持部材１１は、幅方向へ長い第１支持プレート１３ａと、幅方向へ長い第２支持プレート１３ｂとから形成されている。第１および第２支持プレート１３ａ，１３ｂは、同形同大であり、上下方向へ離間して並び、互いに並行して幅方向へ直状に延びている。第１および第２支持プレート１３ａ，１３ｂは、アルミやステンレス等の金属から作られている。第１および第２支持プレート１３ａ，１３ｂの間には、複数の凹凸検出ゲージ１２を収容するゲージ収容部１４が形成されている。第１支持プレート１３ａの幅方向中央には、プレート１３ａから上方へ凸となる幅方向へ長い把持可能なハンドル１５が取り付けられている。
【００３９】
それら凹凸検出ゲージ１２（凹凸検出刃）は、合成樹脂から作られ、前後方向へ長い板状（プレート状）に成型されている。それら凹凸検出ゲージ１２は、第１および第２支持プレート１３ａ，１３ｂの間に形成されたゲージ収容部１４に摺動可能に収容されて前後方向へ延びている。それら凹凸検出ゲージ１２は、幅方向へ隣接する凹凸検出ゲージ１２どうしが当接した状態で幅方向へ並び、隣接する凹凸検出ゲージ１２どうしが互いに摺動可能である。凹凸検出ゲージ１２は、第１および第２支持プレート１３ａ，１３ｂから前方へ露出する前端部１６と、第１および第２支持プレート１３ａ，１３ｂから後方へ露出する後端部１８と、前端部１６および後端部１８の間に位置して前後方向へ延びる中間摺動部１７とを有する。
【００４０】
それら凹凸検出ゲージ１２は、その中間摺動部１７がゲージ収容部１４において前後方向へ進退可能であり、前端部１６の先端１９が第１および第２支持プレート１３ａ，１３ｂの前方へ前進可能、かつ、先端１９が第１および第２支持プレート１３ａ，１３ｂの後方へ後退可能である。それら凹凸検出ゲージ１２は、その前端部１６の先端１９が屋内（建造物）の内壁面４５（所定の面）に当接し、内壁面４５に凹凸（起伏）がある場合、内壁面４５の凸部に位置する凹凸検出ゲージ１２が前後方向後方へ後退するから、それら凹凸検出ゲージ１２によって内壁面４５の凹凸が象られる（型取られる）。
【００４１】
図５は、凹凸象形器具１０Ａを利用した内壁面４５の凹凸の象りの一例を示す図であり、図６は、凹凸象形器具１０Ａから内装ボード４７への罫書きの一例を示す部分拡大図である。凹凸象形器具１０Ａを利用して内壁面４５の凹凸（起伏）を象る手順の一例は以下のとおりである。それら凹凸検出ゲージ１２の前端部１６の先端１９が幅方向へ一列（一直線）に並ぶように、それら凹凸検出ゲージ１２の先端１９を整然と揃える。次に、支持部材１１（第１および第２支持プレート１３ａ，１３ｂ）に設置されたそれら凹凸検出ゲージ１２の前端部１６の先端１９を内壁面４５に対向させた後、ハンドル１５を把持して凹凸象形器具１０Ａの支持部材１１を前方（内壁面４５）に向かって移動させる。
【００４２】
支持部材１１（第１および第２支持プレート１３ａ，１３ｂ）を前方に移動させ、支持部材１１とともにそれら凹凸検出ゲージ１２を内壁面４５に次第に近づけ、一列に並ぶそれら凹凸検出ゲージ１２の前端部１６の先端１９を内壁面４５に当接させる（押し当てる）。内壁面４５に凹凸（起伏）がある場合、それら凹凸検出ゲージ１２の前端部１６の先端１９が内壁面４５に当接した後、それら凹凸検出ゲージ１２の先端１９を内壁面４５に押圧すると、内壁面４５の凸部に位置する凹凸検出ゲージ１２が前後方向後方へ後退し、一列に並んでいたそれら凹凸検出ゲージ１２のうちの内壁面４５の凸部に位置する凹凸検出ゲージ１２が後方へ凹み、それら凹凸検出ゲージ１２に凹凸（起伏）が形成される。内壁面４５の凹凸にあわせてそれら凹凸検出ゲージ１２が前後方向へ進退し、内壁面４５の凹凸によってそれら凹凸検出ゲージ１２に凹凸が形成されることで、内壁面４５の凹凸が凹凸象形器具１０Ａのそれら凹凸検出ゲージ１２に象られる（写し取られる）。
【００４３】
内壁面４５の凹凸によってそれら凹凸検出ゲージ１２に凹凸が形成された後（内壁面４５の凹凸がそれら凹凸検出ゲージ１２に象られた後）、凹凸象形器具１０Ａを内装ボード４７の上面に載せ、凹凸が形成されたそれら凹凸検出ゲージ１２の前端部１６の先端１９に沿って内装ボード４７に罫書く（線を引く）。内装ボード４７に罫書かれた線は、凹凸象形器具１０Ａのそれら凹凸検出ゲージ１２の先端１９によって象られた内壁面４５の凹凸を表している。内装ボード４７に罫書かれた線に沿って内装ボード４７の一端を切断し、端縁を内壁面４５の凹凸の形状にあわせた端部ボード４８を作る。次に、屋内の角部の内壁面４５の空きスペースに端部ボード４８を取り付ける。端部ボード４８の端縁が内壁面４５の凹凸の形状に一致しているから、端部ボード４８によって内壁面４５の空きスペースが隙間なく塞がれ、内壁面４５全域に端部ボード４８を含む内装ボード４７が隙間なく設置される。
【００４４】
凹凸象形器具１０Ａおよび凹凸象形器具１０Ａを使用した凹凸象り方法は、支持部材１１（第１および第２支持プレート１３ａ，１３ｂ）に設置されたそれら凹凸検出ゲージ１２の前端部１６の先端１９を屋内（建造物）の内壁面４５（所定の面）に対向させ、それら凹凸検出ゲージ１２の先端１９を内壁面４５に当接させて先端を内壁面４５に押圧することで、内壁面４５の凹凸にあわせてそれら凹凸検出ゲージ１２が前後方向へ進退し、直線状に一列に並ぶそれら凹凸検出ゲージ１２の先端１９が前後方向へ起伏し、それら凹凸検出ゲージ１２によって内壁面４５の凹凸が象られるから、内壁面４５の一方向の凹凸を広い範囲で正確に象ることができる。
【００４５】
凹凸象形器具１０Ａおよび凹凸象形器具１０Ａを使用した凹凸象り方法は、内壁面４５の一方向の凹凸によって起伏したそれら凹凸検出ゲージ１２の先端１９に沿って内装ボード４７（部材）を罫書くことで、象った凹凸を内装ボード４７に正確に罫書く（画く）ことができ、熟練した作業者の経験や腕前に頼る必要がなく、熟練した作業者以外の作業者が内装ボード４７の一端を内壁面４５の凹凸にあわせた形状に正確に切断することができ、内壁面４５の空きスペースに取り付ける（嵌め込む）端部ボード４８を作ることができるとともに、熟練した作業者以外の作業者が内壁面４５全域に内装ボード４７（端部ボード４８）を隙間なく取り付けることができる。
【００４６】
図７は、他の一例として示す凹凸象形器具１０Ｂの上面図であり、図８は、凹凸象形器具１０Ｂの下面図である。図９は、図７のIII−III線矢視断面図であり、図１０は、図７のIV−IV線矢視断面図である。図１１は、図１０の断面図における第１および第２前端プレート２３ａ，２３ｂの一方の端部の部分拡大図であり、図１２は、図１０の断面図における第１および第２前端プレート２３ａ，２３ｂの幅方向中央の部分拡大図である。図７，９では、幅方向を矢印Ａで示し、前後方向を矢印Ｂ、上下方向を矢印Ｃで示す。
【００４７】
凹凸象形器具１０Ｂは、四角形のフレーム２０（支持部材）と、複数の凹凸検出ゲージ１２（凹凸検出刃）と、真空吸着パッド２１（電動吸着パッド）と、１本のスライドポール２２（スライド部材）とから形成されている。フレーム２０は、幅方向へ長い前端プレート２３（前端部）と、幅方向へ長い後端プレート２４（後端部）と、前後方向へ伸縮可能であって前後方向へ長い第１および第２スライドレール２５，２６（両側縁部）とから形成されている。
【００４８】
前端プレート２３（前端部）は、幅方向へ長い第１前端プレート２３ａと、幅方向へ長い第２前端プレート２３ｂとから形成されている。第１および第２前端プレート２３ａ，２３ｂは、同形同大であり、上下方向へ離間して並び、互いに並行して幅方向へ直状に延びている。第１および第２前端プレート２３ａ，２３ｂは、アルミやステンレス等の金属から作られている。第１および第２前端プレート２３ａ，２３ｂの間には、複数の凹凸検出ゲージ１２を収容するゲージ収容部１４が形成されている。第１前端プレート２３ａの幅方向中央には、プレート２３ａから上方へ凸となる把持可能なハンドル１５が取り付けられている。
【００４９】
後端プレート２４（後端部）は、アルミやステンレス等の金属から作られ、その長さが前端プレート２３のそれと略同一であり、前端プレート２３の後方に位置し、前端プレート２３に平行して幅方向へ直状に延びている。後端プレート２３は、図９に示すように、前後方向へ延びる板状の水平部２７と、水平部２７につながって上下方向へ延びる垂直部２８とを有する。第１および第２スライドレール２５，２６（両側縁部）は、アルミやステンレス等の金属から作られ、幅方向へ離間対向し、互いに平行して前後方向へ直状に延びている。
【００５０】
第１スライドレール２５（一方の側縁部）は、前後方向へ長い第１アウターレール２５ａと、前後方向へ長い第１中間レール２５ｂと、前後方向へ長い第１インナーレール２５ｃとから形成されている。第１アウターレール２５ａは、後端プレート２４の側に位置し、その後端部２９が後端プレート２４の一方の端部３０に螺子３１（固定手段）によって固定されている。第１中間レール２５ｂは、第１アウターレール２５ａの内側にスライド可能に収容される。第１インナーレール２５ｃは、前端プレート２３の側に位置し、第１中間レール２５ｂおよび第１アウターレール２５ａの内側にスライド可能に収容される。第１インナーレール２５ｃは、その前端部３２が第１前端プレート２３ａの一方の端部３３に螺子３１（固定手段）によって固定されている。
【００５１】
第１スライドレール２５では、第１中間レール２５ｂと第１インナーレール２５ｃとが第１アウターレール２５ａの前端部３４から前方へスライドしてアウターレール２５ａの前端部３４から前方へ露出（延出）することで、その長さが伸長する。逆に、第１中間レール２５ｂと第１インナーレール２５ｃとが第１アウターレール２５ａの前端部３４から後方へスライドし、第１中間レール２５ｂと第１インナーレール２５ｃとが第１アウターレール２５ａの内側に収容されることで、その長さが短縮する。
【００５２】
第２スライドレール２６（他方の側縁部）は、前後方向へ長い第２アウターレール２６ａと、前後方向へ長い第２中間レール２６ｂと、前後方向へ長い第２インナーレール２６ｃとから形成されている。第２アウターレール２６ａは、後端プレート２４の側に位置し、その後端部２９が後端プレート２４の他方の端部３０に螺子３１（固定手段）によって固定されている。第２中間レール２６ｂは、第２アウターレール２６ａの内側にスライド可能に収容される。第２インナーレール２６ｃは、前端プレート２３の側に位置し、第２中間レール２６ｂおよび第２アウターレール２６ａの内側にスライド可能に収容される。第２インナーレール２６ｃは、その前端部３２が第１前端プレート２３ａの一方の端部３３に螺子３１（固定手段）によって固定されている。
【００５３】
第２スライドレール２６では、第２中間レール２６ｂと第２インナーレール２６ｃとが第２アウターレール２６ａの前端部３４から前方へスライドしてアウターレール２６ａの前端部３４から前方へ露出（延出）することで、その長さが伸長する。逆に、第２中間レール２６ｂと第２インナーレール２６ｃとが第２アウターレール２６ａの前端部３４から後方へスライドし、第２中間レール２６ｂと第２インナーレール２６ｃとが第２アウターレール１６ａの内側に収容されることで、その長さが短縮する。
【００５４】
それら凹凸検出ゲージ１２（凹凸検出刃）は、凹凸象形器具１０Ａのそれと同一であり、第１および第２前端プレート２３ａ，２３ｂの間に形成されたゲージ収容部１４に摺動可能に収容されて前後方向へ延びている。それら凹凸検出ゲージ１２は、幅方向へ隣接する凹凸検出ゲージ１２どうしが当接した状態で幅方向へ並び、隣接する凹凸検出ゲージ１２どうしが互いに摺動可能である。凹凸検出ゲージ１２は、第１および第２前端プレート２３ａ，２３ｂから前方へ露出する前端部１６と、第１および第２前端プレート２３ａ，２３ｂから後方へ露出する後端部１８と、前端部１６および後端部１８の間に位置して前後方向へ延びる中間摺動部１７とを有する。
【００５５】
それら凹凸検出ゲージ１２は、その中間摺動部１７がゲージ収容部１４において前後方向へ進退可能であり、前端部１６の先端１９が第１および第２前端プレート２３ａ，２３ｂの前方へ前進可能、かつ、先端１９が第１および第２前端プレート２３ａ，２３ｂの後方へ後退可能である。それら凹凸検出ゲージ１２は、その前端部１６の先端１９が屋内の内壁面４５に当接し、内壁面４５に凹凸（起伏）がある場合、内壁面４５の凸部に位置する凹凸検出ゲージ１２が前後方向後方へ後退するから、それら凹凸検出ゲージ１２によって内壁面４５の凹凸が象られる。
【００５６】
真空吸着パッド２１（電動吸着パッド）は、後端プレート２４の幅方向中央に設置され、後端プレート２４の後方（直後）に位置している。真空吸着パッド２１は、真空ポンプおよび電池を内蔵したオールインワンタイプの電動吸着パッド２１である。真空吸着パッド２１は、その吸着力が約７０〜９０ｋｇｆであり、スイッチをＯＮにすることで真空ポンプが起動し、吸着面４６が屋内（建造物）の内壁面４５（物体の面）に吸着する。また、スイッチをＯＦＦにすると、真空ポンプが停止し、吸着力が瞬時に消滅して内壁面４５に対する吸着を直ちに解除することができる。
【００５７】
真空吸着パッド２１の上面には、上方へ凸となる幅方向へ長い把持可能なハンドル４９が取り付けられている。真空吸着パッド２１は、アルミやステンレス等の金属から作られた所定面積の固定プレート３５に設置されている。真空吸着パッド２１の周縁には、アルミやステンレス等の金属から作られた複数の固定アングル３６が取り付けられている。それら固定アングル３６が固定プレート３５に螺子３１（固定手段）によって固定されることで、真空吸着パッド２１が固定プレート３５に強固に固定されている。固定プレート３５の前端には、上下方向へ延びる垂直部３７が形成されている。固定プレート３５は、その垂直部３７が後端プレート２４の垂直部２８に螺子３１（固定手段）によって固定されることで、後端プレート２４の垂直部２８に強固に固定されている。
【００５８】
スライドポール２２（スライド部材）は、アルミやステンレス等の金属または合成樹脂から作られて円筒状に成形されている。スライドポール２２は、第１および第２スライドレール２５，２６（両側縁部）の間であって前端プレート２３および後端プレート２４の幅方向中央に位置し、前後方向へ直状に延びている。スライドポール２２は、第１前端プレート２３ａと後端プレート２４とにつながり、第１および第２スライドレール２５，２６とともに前後方向へ伸縮可能である。
【００５９】
スライドポール２２は、アウターポール３８とインナーポール３９とから形成されている。アウターポール３８は、後端プレート２４の側に位置し、その後端部４０が固定金具４１および螺子３１（固定手段）によって後端プレート２４に強固に固定されている。インナーポール３９は、前端プレート２３の側に位置し、アウターポール３８の内部にスライド可能に収容される。インナーポール３９は、その前端部４２が固定金具４１および螺子３１（固定手段）によって第１前端プレート２３ａに強固に固定されている。
【００６０】
スライドポール２２では、インナーポール３９がアウターポール３８の前端部４３から前方へスライドしてアウターポール３８の前端部４３から前方へ露出することで、その長さが伸長する。逆に、インナーポール３９がアウターポール３８の前端部４３から後方へスライドし、インナーポール３９がアウターポール３８の内部に収容されることで、その長さが短縮する。
【００６１】
スライドポール２２には、インナーポール３９のスライド（伸縮）を所定の位置で停止させるストッパー４４が設置されている。ストッパー４４は、アウターポール３９の前端部４２に螺着されたストッパーピンであり、ストッパーピンのヘッドを時計回り方向へ回転させると、ストッパーピンの螺子ロッドがアウターポール３８の内部に進入し、螺子ロッドの先端がインナーポール３９の外周面を押圧することで、インナーポール３９のスライドが阻止される。逆に、ストッパーピンのヘッドを反時計回り方向へ回転させると、ストッパーピンの螺子ロッドがアウターポール３８の外方へ露出し、螺子ロッドの先端によるインナーポール３９の外周面の押圧が解除され、インナーポール３９がアウターポール３８に対してスライド可能になる。
【００６２】
図１３は、凹凸象形器具１０Ｂを利用した内壁面４５の凹凸の象りの一例を示す図であり、図１４は、凹凸象形器具１０Ｂから内装ボード４７への罫書きの他の一例を示す部分拡大図である。凹凸象形器具１０Ｂを利用して内壁面４５の凹凸（起伏）を象る手順の一例は、以下のとおりである。内壁面４５の凹凸を象る準備として、スライドポール２２のストッパーピン（ストッパー４４）のヘッドを反時計回り方向へ回転させ、アウターポール３８に対してインナーポール３９をスライド可能にし、インナーポール３９をアウターポール３８の内部に収容しつつ、第１および第２中間レール２５ｂ，２６ｂと第１および第２インナーレール２５ｃ，２６ｃとを第１および第２アウターレール２５ａ，２６ａの内側に収容し、スライドポール２２の長さおよび第１および第２スライドレール２５，２６の長さを短縮する。あわせてそれら凹凸検出ゲージ１２の前端部１６の先端１９が幅方向へ一列（一直線）に並ぶように、それら凹凸検出ゲージ１２の先端１６を整然と揃える。
【００６３】
次に、前端プレート２３に設置されたそれら凹凸検出ゲージ１２の前端部１６の先端１９を内壁面４５に対向させた状態で、真空吸着パッド２１のスイッチをＯＮにして真空吸着パッド２１の吸着面４６を屋内（建造物）の内壁面４５に吸着させ、凹凸象形器具１０Ｂを内壁面４５に固定する。真空吸着パッド２１を利用して凹凸象形器具１０Ｂを内壁面４５に固定した後、ハンドル１５を把持しつつ凹凸象形器具１０Ｂの前端プレート２３を図１３に矢印Ｂ１で示す前方（内壁面４５）に向かって移動させる。
【００６４】
前端プレート２３を前方へ移動させると、前端プレート２３とともにそれら凹凸検出ゲージ１２が内壁面４５に次第に近づく。インナーポール３９がアウターポール３８の前端部４３から前方へスライドしてアウターポール３８の前端部４３から前方へ露出し、スライドポール２２の長さが伸長するとともに、第１および第２中間レール２５ｂ，２６ｂと第１および第２インナーレール２５ｃ，２６ｃとが第１および第２アウターレール２５ａ，２６ａの前端部３４から前方へスライドし、第１および第２中間レール２５ｂ，２６ｂと第１および第２インナーレール２５ｃ，２６ｃとが第１および第２アウターレール２５ａ，２６ａの前端部３２から前方へ露出（延出）することで、第１および第２スライドレール２５，２６の長さが伸長する。
【００６５】
真空吸着パッド２１によって凹凸象形器具１０Ｂを内壁面４５に固定した状態で前端プレート２３を前方に移動させ、幅方向へ一列に並ぶそれら凹凸検出ゲージ１２の先端１９を内壁面４５に当接させる（押し当てる）。ハンドル１５を把持しつつフレーム２０の第１および第２スライドレール２５，２６とスライドポール２２とを前方へ伸長させてそれら凹凸検出ゲージ１２の先端１９を内壁面４５に当接させるから、ハンドル１５を利用してそれら凹凸検出ゲージ１２のすべてを内壁面４５に同時に当接させることができる。
【００６６】
内壁面４５に凹凸（起伏）がある場合、それら凹凸検出ゲージ１２の先端１９が内壁面４５に当接した後、それら凹凸検出ゲージ１２の先端１９を内壁面４５に押圧すると、内壁面４５の凸部に位置する凹凸検出ゲージ１２が前後方向後方へ後退し、一列に並んでいたそれら凹凸検出ゲージ１２のうちの内壁面４５の凸部に位置する凹凸検出ゲージ１２が後方へ凹み、それら凹凸検出ゲージ１２に凹凸（起伏）が形成される。内壁面４５の凹凸にあわせてそれら凹凸検出ゲージ１２が前後方向へ進退し、内壁面４５の凹凸によってそれら凹凸検出ゲージ１２に凹凸が形成されることで、内壁面４５の凹凸が凹凸象形器具１０Ｂのそれら凹凸検出ゲージ１２に象られる（写し取られる）。
【００６７】
内壁面４５の凹凸によって凹凸象形器具１０Ｂのそれら凹凸検出ゲージ１２に凹凸が形成された後（内壁面４５の凹凸がそれら凹凸検出ゲージ１２に象られた後）、アウターポール３８の前端部４３に螺着されたストッパーピン（ストッパー４４）のヘッドを時計回り方向へ回転させ、インナーポール３９のスライドを停止させてアウターポール３８に対してインナーポール３９を固定し、スライドポール２２をスライド不能にロックする。スライドポール２２をスライド不能にロックした後、真空吸着パッド２１のスイッチをＯＦＦにして真空吸着パッド２１の内壁面４５に対する吸着を解除する。凹凸象形器具１０Ｂを内壁面４５から取り外し、凹凸象形器具１０Ｂを内装ボード４７の上面に載せ、凹凸が形成されたそれら凹凸検出ゲージ１２の前端部１６の先端１９に沿って内装ボード４７に罫書く（線を引く）。
【００６８】
内装ボード４７に罫書かれた線は、凹凸象形器具１０Ｂのそれら凹凸検出ゲージ１２の先端１９によって象られた内壁面４５の凹凸を表している。内装ボード４７に罫書かれた線に沿って内装ボード４７の一端を切断し、端縁を内壁面４５の凹凸の形状にあわせた端部ボード４８を作る。次に、屋内の角部の内壁面４５の空きスペースに端部ボード４８を取り付ける（嵌め込む）。端部ボード４８の端縁が内壁面４５の凹凸の形状に一致しているから、端部ボード４８によって内壁面４５の空きスペースが隙間なく塞がれ、内壁面４５全域に端部ボード４８を含む内装ボード４７が隙間なく設置される。
【００６９】
凹凸象形器具１０Ｂおよび凹凸象形器具１０Ｂを使用した凹凸象り方法は、フレーム２０の前端プレート２３（第１および第２前端プレート２３ａ，２３ｂ）に設置されたそれら凹凸検出ゲージ１２の前端部１６の先端１９を屋内（建造物）の内壁面４５（所定の面）に対向させ、それら凹凸検出ゲージ１２の先端１９を内壁面４５に当接させて先端１９を内壁面４５に押圧することで、内壁面４５の凹凸にあわせてそれら凹凸検出ゲージ１２が前後方向へ進退し、直線状に一列に並ぶそれら凹凸検出ゲージ１２の先端１９が前後方向へ起伏し、それら凹凸検出ゲージ１２によって内壁面４５の凹凸が象られるから、内壁面４５の一方向の凹凸を広い範囲で正確に象ることができる。
【００７０】
凹凸象形器具１０Ｂおよび凹凸象形器具１０Ｂを使用した凹凸象り方法は、凹凸象形器具１０Ｂのフレーム２０の枠構造によってフレーム２０の前端プレート２３（前端部）が斜めに傾斜することはなく、前端プレート２３を直状に保持することができるから、フレーム２０の前端プレート２３に設置されたそれら凹凸検出ゲージ１２のすべてを屋内（建造物）の内壁面４５（所定の面）に同時に当接させることができ、それら凹凸検出ゲージ１２によって屋内の内壁面４５の一方向の凹凸を広い範囲で正確に象ることができる。
【００７１】
凹凸象形器具１０Ｂおよび凹凸象形器具１０Ｂを使用した凹凸象り方法は、内壁面４５の一方向の凹凸によって起伏したそれら凹凸検出ゲージ１２の先端１９に沿って内装ボード４７（部材）を罫書くことで、象った凹凸を内装ボード４７に正確に罫書く（画く）ことができ、熟練した作業者の経験や腕前に頼る必要がなく、熟練した作業者以外の作業者が内装ボード４７の一端を内壁面４５の凹凸にあわせた形状に正確に切断することができ、内壁面４５の空きスペースに取り付ける（嵌め込む）端部ボード４８を作ることができるとともに、熟練した作業者以外の作業者が内壁面４５全域に内装ボード４７（端部ボード４８）を隙間なく取り付けることができる。
【００７２】
凹凸象形器具１０Ｂおよび凹凸象形器具１０Ｂを使用した凹凸象り方法は、真空吸着パッド２１の吸着面４６を屋内（建造物）の内壁面４５（所定の面）に吸着させることで、凹凸象形器具１０Ｂが内壁面４５の所定の位置に固定され、真空吸着パッド２１を利用して凹凸象形器具１０Ｂを内壁面４５に固定した状態でそれら凹凸検出ゲージ１２の先端１９を内壁面４５に当接させる（押し当てる）ことができるから、凹凸象形器具１０Ｂのズレ動きを防ぐことができ、凹凸象形器具１０Ｂを静止させた状態でそれら凹凸検出ゲージ１２の先端１９を内壁面４５に当接させることができるとともに、内壁面４５の一方向の凹凸を正確かつ確実に象ることができる。
【００７３】
凹凸象形器具１０Ｂおよび凹凸象形器具１０Ｂを使用した凹凸象り方法は、凹凸象形器具１０Ｂのハンドル１５を把持し、フレーム２０の第１および第２スライドレール２５，２６（両側縁部）とスライドポール２２（スライド部材）とを前方へ伸長させてフレーム２０の前端プレート２３（第１および第２前端プレート２３ａ，２３ｂ）に設置されたそれら凹凸検出ゲージ１２の先端１９を内壁面４５に当接させる（押し当てる）ことができるから、ハンドル１５を利用してそれら凹凸検出ゲージ１２のすべてを内壁面４５に同時に当接させることができ、それら凹凸検出ゲージ１２のすべてを利用して内壁面４５の一方向の凹凸を正確かつ確実に象ることができる。
【００７４】
内壁面４５の一方向の凹凸がそれら凹凸検出ゲージ１２に象られた時点で第１および第２スライドレール２５，２６（両側縁部）とスライドポール２２（スライド部材）とが前後方向へ伸縮すると、それら凹凸検出ゲージ１２がズレ動いて内壁面４５の凹凸を正確に象ることができないが、凹凸象形器具１０Ｂおよび凹凸象形器具１０Ｂを使用した凹凸象り方法は、内壁面４５の一方向の凹凸がそれら凹凸検出ゲージ１２に象られた時点でスライドポール２２の伸縮をストッパー４４によって停止（ロック）させることができるから、凹凸を象ったそれら凹凸検出ゲージ１２のズレ動きを防ぐことができ、それら凹凸検出ゲージ１２を利用して内壁面４５の凹凸を正確かつ確実に象ることができる。
【００７５】
図１５は、他の一例として示す凹凸象形器具１０Ｃの上面図であり、図１６は、図１５のＥ−Ｅ線矢視断面図である。図１５，１６では、この凹凸象形器具１０Ｃが図７のそれと異なるところは、フレーム２０に３本の第１〜第３スライドポール２２ａ〜２２ｃ（スライド部材）が取り付けられている点にある。凹凸象形器具１０Ｃのその他の構成は図７の凹凸象形器具１０Ｂのそれらと同一であるから、図７と同一の符号を付すとともに、図７の凹凸象形器具１０Ｂの説明を援用することで、凹凸象形器具１０Ｃのその他の構成の詳細な説明は省略する。
【００７６】
凹凸象形器具１０Ｃは、四角形のフレーム２０（支持部材１１）と、複数の凹凸検出ゲージ１２（凹凸検出刃）と、真空吸着パッド２１（電動吸着パッド）と、３本の第１〜第３スライドポール２２ａ〜２２ｃ（スライド部材）とから形成されている。フレーム２０や凹凸検出ゲージ１２、真空吸着パッド２１は、図７の凹凸象形器具１０Ｂのそれらと同一である。第１〜第３スライドポール２２ａ〜２２ｃ（スライド部材）は、アルミやステンレス等の金属または合成樹脂から作られて円筒状に成形されている。第１〜第３スライドポール２２ａ〜２２ｃは、第１前端プレート２３ａと後端プレート２４とにつながり、第１および第２スライドレール２５，２６とともに前後方向へ伸縮可能である。
【００７７】
第１スライドポール２２ａは、アウターポール３８とアウターポール３８の内部にスライド可能に収容されるインナーポール３９とから形成され、第１および第２スライドレール２５，２６（両側縁部）の間であって前端プレート２３および後端プレート２４の幅方向中央に位置し、前後方向へ直状に延びている。第１スライドポール２２ａのアウターポール３８は、後端プレート２４の側に位置し、その後端部４０が固定金具４１および螺子３１（固定手段）によって後端プレート２４の幅方向中央に強固に固定されている。第１スライドポール２２ａのインナーポール３９は、前端プレート２３の側に位置し、その前端部４２が固定金具４１および螺子３１（固定手段）によって第１前端プレート２３ａの幅方向中央に強固に固定されている。第１スライドポール２２ａには、インナーポール３９のスライド（伸縮）を所定の位置で停止させるストッパー４４が設置されている。ストッパー４４は、アウターポール３８の前端部４３に螺着されたストッパーピンである。
【００７８】
第２スライドポール２２ｂは、アウターポール３８とアウターポール３８の内部にスライド可能に収容されるインナーポール３９とから形成され、第１および第２スライドレール２５，２６（両側縁部）の間であって前端プレート２３および後端プレート２４の一方の端部３０，３３（第１スライドレール２５の側）に位置し、前後方向へ直状に延びている。第２スライドポール２２ｂのアウターポール３８は、後端プレート２４の側に位置し、その後端部４０が固定金具４１および螺子３１（固定手段）によって後端プレート２４の一方の端部３０に強固に固定されている。第２スライドポール２２ｂのインナーポール３９は、前端プレート２３の側に位置し、その前端部４２が固定金具４１および螺子３１（固定手段）によって第１前端プレート２３ａの一方の端部３３に強固に固定されている。第２スライドポール２２ｂには、インナーポール３９のスライド（伸縮）を所定の位置で停止させるストッパー４４が設置されている。ストッパー４４は、アウターポール３８の前端部４３に螺着されたストッパーピンである。
【００７９】
第３スライドポール２２ｃは、アウターポール３８とアウターポール３８の内部にスライド可能に収容されるインナーポール３９とから形成され、第１および第２スライドレール２５，２６（両側縁部）の間であって前端プレート２３および後端プレート２４の他方の端部３０，３３（第２スライドレール２６の側）に位置し、前後方向へ直状に延びている。第３スライドポール２２ｃのアウターポール３８は、後端プレート２４の側に位置し、その後端部４０が固定金具４１および螺子３１（固定手段）によって後端プレート２４の他方の端部３０に強固に固定されている。第３スライドポール２２ｃのインナーポール３９は、前端プレート２３の側に位置し、その前端部４２が固定金具４１および螺子３１（固定手段）によって第１前端プレート２３ａの他方の端部３３に強固に固定されている。第３スライドポール２２ｃには、インナーポール３９のスライド（伸縮）を所定の位置で停止させるストッパー４４が設置されている。ストッパー４４は、アウターポール３８の前端部４３に螺着されたストッパーピンである。
【００８０】
凹凸象形器具１０Ｃを利用して内壁面４５の凹凸（起伏）を象る手順は、凹凸象形器具１０Ｂを利用して内壁面４５の凹凸（起伏）を象る手順と同一である。なお、内壁面４５の凹凸を象る準備として、第１〜第３スライドポール２２ａ〜２２ｃのストッパーピン（ストッパー４４）のヘッドを反時計回り方向へ回転させ、アウターポール３８に対してインナーポール３９をスライド可能にし、インナーポール３９をアウターポール３８の内部に収容しつつ、第１および第２中間レール２５ｂ，２６ｂと第１および第２インナーレール２５ｃ，２６ｃとを第１および第２アウターレール２５ａ，２６ａの内側に収容し、それらスライドポール２２の長さおよび第１および第２スライドレール２５，２６の長さを短縮し、あわせてそれら凹凸検出ゲージ１２の前端部１６の先端１９が幅方向へ一列（一直線）に並ぶように、それら凹凸検出ゲージ１２の先端１９を整然と揃える。
【００８１】
内壁面４５の凹凸によって凹凸象形器具１０Ｂのそれら凹凸検出ゲージ１２に凹凸が形成された後（内壁面４５の凹凸がそれら凹凸検出ゲージ１２に象られた後）、アウターポール３８の前端部４３に螺着されたストッパーピン（ストッパー４４）のヘッドを時計回り方向へ回転させ、インナーポール３９のスライドを停止させてアウターポール３８に対してインナーポール３９を固定し、第１〜第３スライドポール２２ａ〜２２ｃをスライド不能にロックする。それらスライドポール２２ａ〜２２ｃをスライド不能にロックした後、真空吸着パッド２１のスイッチをＯＦＦにして真空吸着パッド２１の内壁面４５に対する吸着を解除する。凹凸象形器具１０Ｃを内壁面４５から取り外し、凹凸象形器具１０Ｃを内装ボード４７の上面に載せ、凹凸が形成されたそれら凹凸検出ゲージ１２の先端１９に沿って内装ボード４７に罫書く（線を引く）。
【００８２】
凹凸象形器具１０Ｃおよび凹凸象形器具１０Ｃを使用した凹凸象り方法は、図７に示す凹凸象形器具１０Ｂおよび凹凸象形器具１０Ｂを使用した凹凸象り方法が有する効果に加え、以下の効果を有する。凹凸象形器具１０Ｃおよび凹凸象形器具１０Ｃを使用した凹凸象り方法は、内壁面４５の一方向の凹凸がそれら凹凸検出ゲージ１２に象られた時点で第１〜第３スライドポール２２ａ〜２２ｃの伸縮をストッパー４４によって停止（ロック）させるから、凹凸を象ったそれら凹凸検出ゲージ１２のズレ動きを確実に防ぐことができ、それら凹凸検出ゲージ１２を利用して内壁面４５の凹凸を正確かつ確実に象ることができる。
【符号の説明】
【００８３】
１０Ａ  凹凸象形器具
１０Ｂ  凹凸象形器具
１０Ｃ  凹凸象形器具
１１    支持部材
１２    凹凸検出ゲージ
１３ａ  第１支持プレート
１３ｂ  第２支持プレート
１４    ゲージ収容部
１５    ハンドル
１６    前端部
１７    中間摺動部
１８    後端部
１９    先端
２０    フレーム（支持部材）
２１    真空吸着パッド
２２    スライドポール（スライド部材）
２２ａ  第１スライドポール（スライド部材）
２２ｂ  第２スライドポール（スライド部材）
２２ｃ  第３スライドポール（スライド部材）
２３    前端プレート（前端部）
２３ａ  第１前端プレート（前端部）
２３ｂ  第２前端プレート（前端部）
２４    後端プレート（後端部）
２５    第１スライドレール
２５ａ  第１アウターレール
２５ｂ  第１中間レール
２５ｃ  第１インナーレール
２６    第２スライドレール
２６ａ  第２アウターレール
２６ｂ  第２中間レール
２６ｃ  第２インナーレール
２７    水平部
２８    垂直部
２９    後端部
３０    端部
３１    螺子
３２    前端部
３３    端部
３４    前端部
３５    固定プレート
３６    固定アングル
３７    垂直部
３８    アウターポール
３９    インナーポール
４０    後端部
４１    固定金具
４２    前端部
４３    前端部
４４    ストッパー
４５    内壁面（面）
４６    吸着面
４７    内装ボード
４８    端部ボード
４９    ハンドル
【図１】
2018013023.tif 000003
【図２】
2018013023.tif 000004
【図３】
2018013023.tif 000005
【図４】
2018013023.tif 000006
【図５】
2018013023.tif 000007
【図６】
2018013023.tif 000008
【図７】
2018013023.tif 000009
【図８】
2018013023.tif 000010
【図９】
2018013023.tif 000011
【図１０】
2018013023.tif 000012
【図１１】
2018013023.tif 000013
【図１２】
2018013023.tif 000014
【図１３】
2018013023.tif 000015
【図１４】
2018013023.tif 000016
【図１５】
2018013023.tif 000017
【図１６】
2018013023.tif 000018